(57)【要約】【課題】本発明は、映写用スクリーンを手軽に立てて使用できるようにすると共に、ホワイトボード的な使用もできる映写用スクリーン装置を提供する。また、本発明は、軽量、小型で、携帯に便利で安価に製作できる映写用スクリーン装置を提供する。【解決手段】本発明は、映写用スクリーン１０の両側端１１、１２の各裏面に１対の溝材３０を固着し、各溝材３０の溝３００に、バックフィルム２０の両端２１及び２２を湾曲できるように着脱可能に挿入して係止すると共に、映写用スクリーン１０の両側端１１、１２の各表面に１対の溝材４０を固着し、各溝材４０の溝４００に、硬質透明又は半透明合成樹脂板５０を着脱可能に挿入した映写用スクリーン装置である。【選択図】    図７
2010231116.tif 000002
【特許請求の範囲】
【請求項１】
映写用スクリーン１０と、前記映写用スクリーン１０の幅Ｗより長い幅のバックフィルム２０と、前記映写用スクリーン１０の両側端１１及び１２の各裏面にそれぞれ固着して前記バックフィルム２０の両側端２１及び２２を着脱可能に係止できるようにしたＵ字状溝３００を形成した１対の溝材３０とを備えて、前記映写用スクリーン１０を使用するときは、１対の前記溝材３０の溝３００に、前記バックフィルム２０の両側端２１及び２２を着脱可能に係止して前記バックフィルム２０を湾曲することにより、前記映写用スクリーン１０を立てることができるようにし、前記映写用スクリーン１０を使用しないときは、１対の前記溝材３０の溝３００から前記バックフィルム２０の両側端２１及び２２を取りはずすことができるようにしたことを特徴とする映写用スクリーン装置。
【請求項２】
前記映写用スクリーン１０が、透過型映写用スクリーンからなり、前記バックフィルム２０が、透明フィルムからなり、前記バックフィルム２０を通して映像投光機からの映像光を前記映写用スクリーン１０に投光できるようにしたことを特徴とする請求項１記載の映写用スクリーン装置。
【請求項３】
前記映写用スクリーン１０が、透過型映写用スクリーンからなり、前記バックフィルム２０が、開口部２００を設けてなり、前記バックフィルム２０の開口部２００を通して映像投光機から映像光を前記映写用スクリーン１０に投光できるようにしたことを特徴とする請求項１記載の映写用スクリーン装置。
【請求項４】
前記映写用スクリーン１０が、透過型映写用スクリーンからなり、前記バックフィルム２０が低い高さで形成されてなり、映像投光機の映像光が前記バックフィルム２０を通すことなく、直接に映像光を前記映写用スクリーン１０に投光できるようにしたことを特徴とする請求項１記載の映写用スクリーン装置。
【請求項５】
前記バックフィルム２０が、複数個、１対の前記溝材３０の溝３００に着脱可能に係止できるようにしたことを特徴とする請求項１、２、３又は４記載の映写用スクリーン装置。
【請求項６】
前記映写用スクリーン１０と、前記映写用スクリーン１０の他側端１２を折り畳み可能の折目又は継目２２Ｂに形成して連設した前記映写用スクリーン１０の幅Ｗより長い幅のバックフィルム２０Ｂと、前記映写用スクリーン１０の一側端１１の裏面に固着して前記バックフィルム２０Ｂの一側端２１に着脱可能に係止できるようにしたＵ字状溝３００Ｂを形成した前記溝材３０Ｂとを備えて、前記映写用スクリーン１０を使用するときは、前記溝材３０Ｂの溝３００Ｂに、前記バックフィルム２０Ｂの一側端２１Ｂを着脱可能に挿入して前記バックフィルム２０Ｂを湾曲することにより、前記映写用スクリーン１０を立てることができるようにし、前記映写用スクリーン１０を使用しないときは、前記溝材３０Ｂの溝３００Ｂから前記バックフィルム２０Ｂの一側端２１Ｂを取りはずすことができるようにしたことを特徴とする映写用スクリーン装置。
【請求項７】
前記映写用スクリーン１０が、透過型映写用スクリーンからなり、前記バックフィルム２０Ｂが、透明フィルムからなり、前記バックフィルム２０Ｂを通して映像投光機からの映像光を前記映写用スクリーン１０に投光できるようにしたことを特徴とする請求項６記載の映写用スクリーン装置。
【請求項８】
前記映写用スクリーン１０が、透過型映写用スクリーンからなり、前記バックフィルム２０Ｂが、開口部を設けてなり、前記バックフィルム２０Ｂの開口部を通して映像投光機から映像光を前記映写用スクリーン１０に投光できるようにしたことを特徴とする請求項６記載の映写用スクリーン装置。
【請求項９】
前記映写用スクリーン１０が、透過型映写用スクリーンからなり、前記バックフィルム２０Ｂが低い高さで形成されてなり、映像投光機の映像光が、前記バックフィルム２０Ｂを通すことなく、直接に映像光を前記映写用スクリーン１０に投光できるようにしたことを特徴とする請求項６記載の映写用スクリーン装置。
【請求項１０】
前記バックフィルム２０Ｂが、複数個、前記溝材３０Ｂの溝３００Ｂに着脱可能に係止できるようにしたことを特徴とする請求項６、７、８又は９記載の映写用スクリーン装置。
【請求項１１】
前記映写用スクリーン１０が、その両側端１１及び１２の表面にそれぞれ固着して後記硬質透明又は半透明合成樹脂板５０の両側端５１及び５２を着脱可能に係止できるようにしたＵ字状溝４００を形成した１対の溝材４０を設けてなり、１対の前記溝材４０の溝４００に、表面を平滑に形成して筆記又は筆記消去できるようにした硬質透明又は半透明合成樹脂板５０の両側端５１及び５２を着脱可能に係止にしたことを特徴とする請求項１、２、３、４、５、６、７、８、９又は１０記載の映写用スクリーン装置。
【請求項１２】
前記硬質透明又は半透明合成樹脂板５０が、その両側端５１及び５２の裏面にそれぞれ固着して前記映写用スクリーン１０の両側端１１及び１２を着脱可能に係止できるようにしたＵ字状溝７００を形成した１対の溝材７０を設けてなり、１対の前記溝材７０の溝７００に、前記映写用スクリーン１０の両側端１１及び１２を着脱可能に係止したことを特徴とする請求項１、２、３、４又は５記載の映写用スクリーン装置。
【請求項１３】
前記硬質透明又は半透明合成樹脂板５０が、その両側端５１及び５２の裏面にそれぞれ固着して前記映写用スクリーン１０の両側端１１及び１２と前記１対の溝材３０とを着脱可能に係止できるようにしたＵ字状溝８００を形成した１対の溝材８０を設けてなり、１対の前記溝材８０の溝８００に、前記映写用スクリーン１０の両側端１１及び１２と１対の前記溝材３０とを着脱可能に係止したことを特徴とする請求項１、２、３、４又は５記載の映写用スクリーン装置。
【請求項１４】
前記硬質透明合成樹脂板５０が、その両側端５１及び５２の裏面にそれぞれ固着して前記映写用スクリーン１０の一側端１１と前記折目又は継目２２Ｂを形成した他側端１２とを着脱可能に係止できるようにしたＵ字状溝７００を形成した溝材７０を設けてなり、１対の前記溝材７０のＵ字状溝７００に、前記映写用スクリーン１０の一側端１１と前記折目又は継目２２Ｂを形成した他側端１２とを着脱可能に係止したことを特徴とする請求項６、７、８、９又は１０記載の映写用スクリーン装置。
【請求項１５】
前記硬質透明合成樹脂板５０が、その両側端５１及び５２の裏面にそれぞれ固着して前記映写用スクリーン１０の一側端１１と前記折目又は継目２２Ｂを形成した他側端１２とを着脱可能に係止できるようにしたＵ字状溝８００を形成した溝材８０を設けてなり、１対の前記溝材８０のＵ字状溝８００に、前記映写用スクリーン１０の両側端１１及び１２と１対の前記溝材とを着脱可能に係止したことを特徴とする請求項６、７、８、９又は１０記載の映写用スクリーン装置。
【発明の詳細な説明】
【技術分野】
【０００１】
本発明は、映写用スクリーンを卓上又は床面等の平面上に立てて使用できるようにした映写用スクリーン装置に関する。
【背景技術】
【０００２】
従来のスクリーン立てには、種々あるが、いずれも専用スタンドや枠体を設けているので、重く、大型で、携帯には不便であった。そこで、特開平９−２３０５０３号公報、特開平９−２３０５０５号公報、特開平１０−４８７４９号公報に示すように、２つ折りできる箱体に映写用スクリーンを緩く折り曲げて収納し、箱体を開いて立て、映写用スクリーンを平面状に展開して使用するものが考えられたが、２つ折りできる箱体の製作にかなりの手間がかかる上に、映写用スクリーンは折り曲げるため可撓性シートから構成されるので、収納時に鋭角に折れて展開時にも残るような折れ痕を発生しない、ある程度の腰（剛性）が必要で、このため、可撓性フィルム素材に腰強化の表面処理を施すことが必要で、コスト高につく欠点があった。さらに、折り曲げにくい硬質シートを映写用スクリーンとして使用できないため、使用時、スクリーンにホワイトボードのように、筆記又は筆記消去が困難であった。
【先行技術文献】
【特許文献】
【０００３】
【特許文献１】特開平９−２３０５０３号公報
【特許文献２】特開平９−２３０５０５号公報
【特許文献３】特開平１０−４８７４９号公報
【発明の概要】
【発明が解決しようとする課題】
【０００４】
本発明は、映写用スクリーンを立てるため面倒なフレームやスタンドの製作を必要としない映写用スクリーン装置を提供するものである。
また、本発明は、映写用スクリーンに可撓性を必要とせずコスト安な素材を使用できるようにした映写用スクリーン装置を提供するものである。
また、本発明は、必要に応じ、厚みのある硬質板を使用して筆記や筆記消去も容易にできる映写用スクリーン装置を提供するものである。
さらに、本発明は、極めて安価に容易に製作できる映写用スクリーン装置を提供するものである。
【課題を解決するための手段】
【０００５】
本発明映写用スクリーン装置は、上記課題を達成するため、図示するように、請求項１の発明は、映写用スクリーン１０と、前記映写用スクリーン１０の幅Ｗより長い幅のバックフィルム２０と、前記映写用スクリーン１０の両側端１１及び１２の各裏面にそれぞれ固着して前記バックフィルムの両側端２１及び２２を着脱可能に係止できるようにしたＵ字状溝３００を形成した１対の溝材３０とを備えて、前記映写用スクリーン１０を使用するときは、１対の前記溝材３０の溝３００に、前記バックフィルム２０の両側端２１及び２２を着脱可能に係止して前記バックフィルム２０を湾曲することにより、前記映写用スクリーン１０を立てることができるようにし、前記映写用スクリーン１０を使用しないときは、１対の前記溝材３０の溝３００から前記バックフィルム２０の両側端２１及び２２を取りはずすことができるようにした映写用スクリーン装置である。
また、本発明映写用スクリーン装置は、上記課題を達成するため、図示するように、請求項２の発明は、請求項１の発明において、前記映写用スクリーン１０が、透過型映写用スクリーンからなり、前記バックフィルム２０が、透明フィルムからなり、前記バックフィルム２０を通して映像投光機からの映像光を前記映写用スクリーン１０に投光できるようにした映写用スクリーン装置である。
また、本発明映写用スクリーン装置は、上記課題を達成するため、図示するように、請求項３の発明は、請求項１の発明において、前記映写用スクリーン１０が、透過型映写用スクリーンからなり、前記バックフィルム２０が、開口部２００を設けてなり、前記バックフィルム２０の開口部２００を通して映像投光機から映像光を前記映写用スクリーン１０に投光できるようにした映写用スクリーン装置である。
また、本発明映写用スクリーン装置は、上記課題を達成するため、図示するように、請求項４の発明は、請求項１の発明において、前記映写用スクリーン１０が、透過型映写用スクリーンからなり、前記バックフィルム２０が低い高さで形成されてなり、映像投光機の映像光が前記バックフィルム２０を通すことなく、直接に映像光を前記映写用スクリーン１０に投光できるようにした映写用スクリーン装置である。
また、本発明映写用スクリーン装置は、上記課題を達成するため、図示するように、請求項５の発明は、請求項１、２、３又は４の発明において、前記バックフィルム２０が、複数個、１対の前記溝材３０の溝３００に着脱可能に係止できるようにした映写用スクリーン装置である。
また、本発明映写用スクリーン装置は、上記課題を達成するため、図示するように、請求項６の発明は、前記映写用スクリーン１０と、前記映写用スクリーン１０の他側端１２を折り畳み可能の折目又は継目２２Ｂに形成して連設した前記映写用スクリーン１０の幅Ｗより長い幅のバックフィルム２０Ｂと、前記映写用スクリーン１０の一側端１１の裏面に固着して前記バックフィルム２０Ｂの一側端２１に着脱可能に係止できるようにしたＵ字状溝３００Ｂを形成した前記溝材３０Ｂとを備えて、前記映写用スクリーン１０を使用するときは、前記溝材３０Ｂの溝３００Ｂに、前記バックフィルム２０Ｂの一側端２１Ｂを着脱可能に挿入して前記バックフィルム２０Ｂを湾曲することにより、前記映写用スクリーン１０を立てることができるようにし、前記映写用スクリーン１０を使用しないときは、前記溝材３０Ｂの溝３００Ｂから前記バックフィルム２０Ｂの一側端２１Ｂを取りはずすことができるようにした映写用スクリーン装置である。
また、本発明映写用スクリーン装置は、上記課題を達成するため、図示するように、請求項７の発明は、請求項６の発明において、前記映写用スクリーン１０が、透過型映写用スクリーンからなり、前記バックフィルム２０Ｂが、透明フィルムからなり、前記バックフィルム２０Ｂを通して映像投光機からの映像光を前記映写用スクリーン１０に投光できるようにした映写用スクリーン装置である。
また、本発明映写用スクリーン装置は、上記課題を達成するため、図示するように、請求項８の発明は、請求項７の発明において、前記映写用スクリーン１０が、透過型映写用スクリーンからなり、前記バックフィルム２０Ｂが、開口部を設けてなり、前記バックフィルム２０Ｂの開口部を通して映像投光機から映像光を前記映写用スクリーン１０に投光できるようにした映写用スクリーン装置である。
また、本発明映写用スクリーン装置は、上記課題を達成するため、図示するように、請求項９の発明は、請求項６の発明において、前記映写用スクリーン１０が、透過型映写用スクリーンからなり、前記バックフィルム２０Ｂが低い高さで形成されてなり、映像投光機の映像光が、前記バックフィルム２０Ｂを通すことなく、直接に映像光を前記映写用スクリーン１０に投光できるようにした映写用スクリーン装置である。
また、本発明映写用スクリーン装置は、上記課題を達成するため、図示するように、請求項１０の発明は、請求項６、７、８又は９において、前記バックフィルム２０Ｂが、複数個、前記溝材３０の溝３００に着脱可能に係止できるようにした映写用スクリーン装置である。
また、本発明映写用スクリーン装置は、上記課題を達成するため、図示するように、請求項１１の発明は、請求項１、２、３、４、５、６、７、８、９又は１０の発明において、前記映写用スクリーン１０が、その両側端１１及び１２の表面にそれぞれ固着して後記硬質透明又は半透明合成樹脂板５０の両側端５１及び５２を着脱可能に係止できるようにしたＵ字状溝４００を形成した１対の溝材４０を設けてなり、１対の前記溝材４０の溝４００に、表面を平滑に形成して筆記又は筆記消去できるようにした硬質透明又は半透明合成樹脂板５０の両側端５１及び５２を着脱可能に係止にした映写用スクリーン装置である。
また、本発明映写用スクリーン装置は、上記課題を達成するため、図示するように、請求項１２の発明は、請求項１、２、３、４又は５の発明において、前記硬質透明又は半透明合成樹脂板５０が、その両側端５１及び５２の裏面にそれぞれ固着して前記映写用スクリーン１０の両側端１１及び１２を着脱可能に係止できるようにしたＵ字状溝７００を形成した１対の溝材７０を設けてなり、１対の前記溝材７０の溝７００に、前記映写用スクリーン１０の両側端１１及び１２を着脱可能に係止した映写用スクリーン装置である。
また、本発明映写用スクリーン装置は、上記課題を達成するため、図示するように、請求項１３の発明は、請求項１、２、３、４又は５の発明において、前記硬質透明又は半透明合成樹脂板５０が、その両側端５１及び５２の裏面にそれぞれ固着して前記映写用スクリーン１０の両側端１１及び１２と前記１対の溝材３０Ｂとを着脱可能に係止できるようにしたＵ字状溝８００を形成した１対の溝材８０を設けてなり、１対の前記溝材８０の溝８００に、前記映写用スクリーン１０の両側端１１及び１２と１対の前記溝材３０Ｂとを着脱可能に係止した映写用スクリーン装置である。
また、本発明映写用スクリーン装置は、上記課題を達成するため、図示するように、請求項１４の発明は、請求項６、７、８、９又は１０の発明において、前記硬質透明合成樹脂板５０が、その両側端５１及び５２の裏面にそれぞれ固着して前記映写用スクリーン１０の一側端１１と前記折目又は継目２２Ｂを形成した他側端１２とを着脱可能に係止できるようにしたＵ字状溝７００を形成した溝材７０を設けてなり、１対の前記溝材７０のＵ字状溝７００に、前記映写用スクリーン１０の一側端１１と前記折目又は継目２２Ｂを形成した他側端１２とを着脱可能に係止した映写用スクリーン装置である。
また、本発明映写用スクリーン装置は、上記課題を達成するため、図示するように、請求項１５の発明は、請求項１、２、３、４、５、６又は７の発明において、前記硬質透明合成樹脂板５０が、その両側端５１及び５２の裏面にそれぞれ固着して前記映写用スクリーン１０の一側端１１と前記折目又は継目２２Ｂを形成した他側端１２とを着脱可能に係止できるようにしたＵ字状溝８００を形成した溝材８０を設けてなり、１対の前記溝材８０のＵ字状溝８００に、前記映写用スクリーン１０の両側端１１及び１２と１対の前記溝材とを着脱可能に係止した映写用スクリーン装置である。
本発明において、映写用スクリーンには、公知の反射型映写用スクリーン、公知の透過型映写用スクリーン及び公知の反射型及び透過型両用映写用スクリーンが含まれ、また、材質的には、合成樹脂製、紙製、その他の材料が含まれ、さらに厚みも約１００ミクロンからから約３ミリメートル程度が多用され、可撓性は必ずしも必要でない。バックフィルムは、合成樹脂製フィルム又はシートのほか各種材質のフィルム又はシートを含み、繰り返し湾曲できるもので、映写用スクリーンのうち、可撓性のものを使用時に平面化させるほか、映写用スクリーンを卓上又は床面に立てて使用させるものである。また、バックフィルムは、透過型映写用スクリーンに対し、映像投光機の映像光を通過させる透明板、開口部や低板により映像投光機の映像光を直接、映写用スクリーンに投光するものも含まれる。さらに、バックフィルムは、横幅方向又は高さ方向に２個又は２個以上に分割して格納に便利にしたものも含まれる。
【発明の効果】
【０００６】
本発明品映写用スクリーン装置は、映写用スクリーンに可撓性が要求されず、可撓シートのほか、硬質シートも厚みに関係なく使用できる。また、バックフィルムも湾曲できる平面板であれば材質に関係なく使用できる。また、可撓性の映写用スクリーンであっても硬質透明板を溝材を介して附加したものは、筆記又は筆記消去が容易にできるホワイトボード板的な使用ができる。さらに、本発明品は、薄厚に折り畳むことができ、運搬性や軽量性もよく、製作費も極めて安価につく利点がある。
【図面の簡単な説明】
【０００７】
【図１】本発明の実施例の正面からみた斜視図である。
【図２−１】本発明の実施例の背面からみた斜視図である。
【図２−２】図２−１の使用例を示した正面図である。
【図３】本発明の別の実施例の背面からみた斜視図である。
【図４−１】本発明の別の実施例の背面からみた斜視図である。
【図４−２】図４−１の使用例を示した正面図である。
【図４−３】バックフィルムの別の実施例を示した拡大平面図である。
【図４−４】バックフィルムのさらに別の実施例を示した拡大平面図である。
【図５】本発明のさらに別の実施例の背面からみた斜視図である。
【図６】本発明の別の実施例の正面からみた斜視図である。
【図７】本発明の別の実施例の平面図である。
【図８】本発明の別の実施例の平面図である。
【図９】本発明のさらに別の実施例の平面図である。
【図１０】さらに本発明の別の実施例の平面図である。
【図１１】さらに本発明の別の実施例の平面図である。
【図１２】さらに本発明の別の実施例の平面図である。
【発明を実施するための形態】
【０００８】
本発明を実施するための最良の形態が実施例１乃至実施例８に示されている。
【実施例１】
【０００９】
本発明装置の実施例１が、図１乃至図５に示されている。
本発明実施例の映写用スクリーン装置は、映写用スクリーン１０と、映写用スクリーン１０の幅Ｗより長い幅のバックフィルム２０と、映写用スクリーン１０の両側端１１及び１２の各裏面にそれぞれ固着できるようにしたＵ字状溝３００を形成した１対の溝材３０とを備えている。映写用スクリーン１０は、公知の反射型映写用スクリーン、公知の透過型映写用スクリーン又は公知の反射型及び透過型両用映写用スクリーンのいずれも使用できる。バックフィルム２０は、映写用スクリーン１０が、透過型映写用スクリーンからなるときは、透明フィルムからなり、図２−２に示すように、映像投光機９０は、バックフィルム２０を通して映像光を映写用スクリーン１０に投光することができる。また、バックフィルム２０は、映写用スクリーン１０が、透過型映写用スクリーンからなるときは、図３に示すように、開口部２００を設けて開口部２００を通して映像投光機から映像光を映写用スクリーン１０に投光することができる。また、バックフィルム２０は、映写用スクリーン１０が、透過型映写用スクリーンからなるときは、図４−１及び図４−２に示すように、低い高さに形成されて、映像投光機９０の映像光がバックフィルム２０を通すことなく、直接に映像光を前記映写用スクリーン１０に投光することができる。また、図５に示すように、バックフィルム２０を、高さ方向に複数個設けて１対の溝材３０の溝３００に着脱可能に挿入できるようにすることもできる。さらに、図４−３又は図４−４に示すように、バックフィルム２０を差込板２０１、ねじ２０２１、座金２０２２、ナット２０２３などを介して横幅方向に２個又は２個以上に分割して格納に便利なようにすることができる。
従って、映写用スクリーン１０を使用するときは、その両側端１１及び１２の裏面にそれぞれ固着された溝材３０の溝３００に、バックフィルム２０の両側端２１及び２２を着脱可能に係止してバックフィルム２０を湾曲することにより、映写用スクリーン１０を立てて使用することができるようにすると共に、可撓性の映写用スクリーン１０を平面化することができる。映写用スクリーン１０を使用しないときは、溝材３０の溝３００からバックフィルム２０の両側端２１及び２２を取りはずして格納することができる。
【実施例２】
【００１０】
本発明装置の実施例２が、図６に示されている。
本発明実施例の映写用スクリーン装置は、映写用スクリーン１０と、映写用スクリーン１０の他側端１２を折り畳み可能の折目２２Ｂ、又は、後述するように、映写用スクリーン１０の他側端１２と貼布２２１Ｂを介して連設される継目２２Ｂを設けた、映写用スクリーン１０の幅Ｗより長い幅のバックフィルム２０Ｂと、映写用スクリーン１０の一側端１１の裏面に固着できるようにしたＵ字状溝３００Ｂを形成した溝材３０Ｂとを備えている。映写用スクリーン１０、バックフィルム２０Ｂ及び溝材３０Ｂは、実施例１と同じであるので詳細説明は省略する。
従って、映写用スクリーン１０を使用するときは、その側端１１の裏面にそれぞれ固着された溝材３０Ｂの溝３００Ｂに、バックフィルム２０Ｂの側端２１Ｂを着脱可能に係止してバックフィルム２０Ｂを湾曲することにより、映写用スクリーン１０を立てて使用することができ、映写用スクリーン１０を使用しないときは、溝材３０Ｂの溝３００Ｂからバックフィルム２０Ｂの側端２１Ｂを取りはずして格納することができる。
【実施例３】
【００１１】
本発明装置の実施例３が、図７に示されている。
本発明実施例の映写用スクリーン装置は、映写用スクリーン１０と、映写用スクリーン１０の幅Ｗより長い幅のバックフィルム２０と、映写用スクリーン１０の両側端１１及び１２の各裏面にそれぞれ固着できるようにしたＵ字状溝３００を形成した１対の溝材３０と、映写用スクリーン１０の両側端１１及び１２の各表面にそれぞれ固着できるようにしたＵ字状溝４００を形成した１対の溝材４０と、硬質透明合成樹脂板５０とを備えている。映写用スクリーン１０、バックフィルム２０及び溝材３０は、実施例１と同一であるので詳細説明は省略する。１対の溝材４０は、硬質透明又は半透明合成樹脂板５０の両側端５１及び５２を各Ｕ字状溝４００に着脱可能に係止するものである。硬質透明又は半透明合成樹脂板５０は、表面を筆記又は筆記消去できるように平滑にしたものである。
従って、映写用スクリーン１０を実施例１と同様に使用した場合、映写用スクリーン１０の両側端１１及び１２の溝材４０の１対の溝４００に、硬質透明又は半透明合成樹脂板５０を、映写用スクリーン１０に被覆するように挿入して係止すれば、硬質透明又は半透明合成樹脂板５０の表面に、ホワイトボード用のマーカー等で筆記又はイレーザで筆記消去が容易にできる。特に、映写用スクリーン１０が薄厚で可撓性が大きく筆記又は筆記消去が困難な場合に効果がある。
【実施例４】
【００１２】
本発明装置の実施例４が、図８に示されている。
本発明実施例の映写用スクリーン装置は、映写用スクリーン１０と、映写用スクリーン１０の幅Ｗより長い幅のバックフィルム２０と、映写用スクリーン１０の両側端１１及び１２の各裏面にそれぞれ固着できるようにしたＵ字状溝３００を形成した１対の溝材３０と、硬質透明又は半透明合成樹脂板５０と、硬質透明又は半透明合成樹脂板５０の両側端５１及び５２の各裏面にそれぞれ固着できるようにしたＵ字状溝７００を形成した１対の溝材７０とを備えている。映写用スクリーン１０、バックフィルム２０、溝材３０及び硬質透明又は半透明合成樹脂板５０は、実施例３と同一であるので詳細説明は省略する。１対の溝材７０は、映写用スクリーン１０の両側端１１及び１２を各Ｕ字状溝７００に着脱可能に係止するものである。
従って、実施例１と同様に、映写用スクリーン１０を使用した場合、硬質透明又は半透明合成樹脂板５０の溝材７０の溝７００を介して、映写用スクリーン１０の両側端１１及び１２を挿入して係止すれば、硬質透明又は半透明合成樹脂板５０の表面に、ホワイトボード用のマーカー等で筆記又はイレーザで筆記消去が容易にできる。特に、映写用スクリーンが薄厚で可撓性が大きく筆記又は筆記消去が困難な場合に効果がある。
【実施例５】
【００１３】
本発明装置の実施例５が、図９に示されている。
本発明実施例の映写用スクリーン装置は、映写用スクリーン１０と、映写用スクリーン１０の幅Ｗより長い幅のバックフィルム２０と、映写用スクリーン１０の両側端１１及び１２の各裏面にそれぞれ固着できるようにしたＵ字状溝３００を形成した１対の溝材３０と、硬質透明合成樹脂板５０と、硬質透明又は半透明合成樹脂板５０の両側端５１及び５２の各裏面にそれぞれ固着できるようにしたＵ字状溝８００を形成した１対の溝材８０とを備えている。映写用スクリーン１０、バックフィルム２０、溝材３０、硬質透明又は半透明合成樹脂板５０は、実施例３と同一であるので詳細説明は省略する。１対の溝材８０は、映写用スクリーン１０の両側端１１及び１２と１対の溝材３０とを、各溝８００に着脱可能に挿入して係止するものである。
従って、実施例１と同様に、映写用スクリーン１０を使用した場合は、映写用スクリーン１０の両側端１１及び１２と、１対の溝材３０を、硬質透明合成樹脂板５０の溝材８０の溝８００に着脱可能に挿入すれば、硬質透明合成樹脂板５０の表面に、ホワイトボード用のマーカー等で筆記又はイレーザで筆記消去が容易にできる。特に、映写用スクリーンが薄厚で可撓性が大きく筆記又は筆記消去が困難な場合に効果がある。
【実施例６】
【００１４】
本発明装置の実施例６が、図１０に示されている。
本発明実施例の映写用スクリーン装置は、映写用スクリーン１０と、映写用スクリーン１０の幅Ｗより長い幅のバックフィルム２０Ｂと、映写用スクリーン１０の他側端１２とバックフィルム２０Ｂの他側端２２Ｂとを継目として繰り返し折り曲げ可能に連設した貼布２２１Ｂと、映写用スクリーン１０の一側端１１の裏面に固着できるようにしたＵ字状の溝３００Ｂを形成した溝材３０Ｂと、映写用スクリーン１０の両側端１１及び１２の表面にそれぞれ固着できるようにしたＵ字状溝４００を形成した１対の溝材４０と、硬質透明合成樹脂板５０とを備えている。映写用スクリーン１０、バックフィルム２０Ｂ及び溝材３０の構成は、実施例２と同一であるので詳細説明は省略する。溝材４０及び硬質透明又は半透明合成樹脂板５０は、実施例３と同様であるので詳細説明は省略する。
貼布２２１Ｂは、映写用スクリーン１０の他側端１２Ｂとバックフィルム２０の他側端２２Ｂとを連設して繰り返し折畳み可能にする布はく製、合成樹脂フィルム製等である。
従って、実施例２と同様に、映写用スクリーン１０を使用した場合、映写用スクリーン１０の両側端１１及び１２の溝材４０の溝４００に、硬質透明合成樹脂板５０を着脱可能に係止して映写用スクリーン１０に被覆するように合わして係止すれば、硬質透明合成樹脂板５０の表面に、ホワイトボード用のマーカー等で筆記又はイレーザで筆記消去が容易にできる。特に、映写用スクリーンが薄厚で可撓性が大きく筆記又は筆記消去が困難な場合に効果がある。
【実施例７】
【００１５】
本発明装置の実施例７が、図１１に示されている。
本発明実施例の映写用スクリーン装置は、映写用スクリーン１０と、映写用スクリーン１０の幅Ｗより長い幅のバックフィルム２０Ｂと、貼布２２１Ｂと、映写用スクリーン１０の両側端１１及び１２の各裏面にそれぞれ固着できるようにしたＵ字状溝３００Ｂを形成した溝材３０Ｂと、硬質透明合成樹脂板５０と、硬質透明又は半透明合成樹脂板５０の両側端５１及び５２の各裏面に固着できるようにしたＵ字状溝７００を形成した１対の溝材７０とを備えている。映写用スクリーン１０、バックフィルム２０Ｂ、貼付２２１Ｂ、溝材３０及び硬質透明又は半透明合成樹脂板５０は、実施例６と同一であるので詳細説明は省略する。１対の溝材７０は、実施例４と同一であるので詳細説明は省略する。
従って、実施例２と同様に、映写用スクリーン１０を使用した場合、硬質透明合成樹脂板５０の両側端５１及び５２の各裏面に固着した溝材７０の溝７００に、映写用スクリーン１０の両側端１１及び１２を挿入して映写用スクリーン１０に被覆するように合わして係止すれば、硬質透明合成樹脂板５０の表面に、ホワイトボード用のマーカー等で筆記又は筆記消去が容易にできる。特に、映写用スクリーンが薄厚で可撓性が大きく筆記又は筆記消去が困難な場合に効果がある。
【実施例８】
【００１６】
本発明装置の実施例８が、図１２に示されている。
本発明実施例の映写用スクリーン装置は、映写用スクリーン１０と、映写用スクリーン１０の幅Ｗより長い幅のバックフィルム２０Ｂと、貼布２２１Ｂと、映写用スクリーン１０の両側端１１及び１２の各裏面にそれぞれ固着できるようにしたＵ字状溝３００Ｂを形成した溝材３０Ｂと、硬質透明合成樹脂板５０と、硬質透明又は半透明合成樹脂板５０の両側端５１及び５２の各裏面に固着できるようにしたＵ字状溝８００を形成した１対の溝材８０とを備えている。映写用スクリーン１０、バックフィルム２０Ｂ、貼布２２１Ｂ、溝材３０及び硬質透明又は半透明合成樹脂板５０は、実施例６と同一であるので詳細説明は省略する。
１対の溝材８０は、実施例５と同一であるので詳細説明は省略する。
従って、実施例２と同様に、映写用スクリーン１０を使用した場合、映写用スクリーン１０の両側端１１及び１２と、その各裏面に固着された１対の縁材３０とを、硬質透明合成樹脂板５０の両側端５１及び５２の各裏面に固着した縁材８０の溝８００に着脱可能に挿入し、硬質透明合成樹脂板５０を映写用スクリーン１０に被覆するように合わして係止すれば、硬質透明合成樹脂板５０の表面に、ホワイトボード用のマーカー等で筆記又は筆記消去が容易にできる。特に、映写用スクリーンが薄厚で可撓性が大きく筆記又は筆記消去が困難な場合に効果がある。
【産業上の利用可能性】
【００１７】
本発明品は、小型、軽量、製作容易で安価に量産できる。
【符号の説明】
【００１８】
１０                              映写用スクリーン
１１                              映写用スクリーンの一端
１２                              映写用スクリーンの他端
２０                              バックフィルム
２１                              バックフィルムの一端
２２                              バックフィルムの他端
２０Ｂ                            バックフィルム
２１Ｂ                            バックフィルムの一端
２２Ｂ                            バックフィルムの他端、折目、継目
３０、３０Ｂ、４０、７０、８０    コ字状乃至ユ字状の溝材
３００、３００Ｂ、４００、７００、８００        Ｕ字状溝
５０                              硬質透明又は半透明合成樹脂板
５１                              硬質透明又は半透明合成樹脂板の一端
５２                              硬質透明又は半透明合成樹脂板の他端
【図１】
2010231116.tif 000003
【図２−１】
2010231116.tif 000004
【図２−２】
2010231116.tif 000005
【図３】
2010231116.tif 000006
【図４−１】
2010231116.tif 000007
【図４−２】
2010231116.tif 000008
【図４−３】
2010231116.tif 000009
【図４−４】
2010231116.tif 000010
【図５】
2010231116.tif 000011
【図６】
2010231116.tif 000012
【図７】
2010231116.tif 000013
【図８】
2010231116.tif 000014
【図９】
2010231116.tif 000015
【図１０】
2010231116.tif 000016
【図１１】
2010231116.tif 000017
【図１２】
2010231116.tif 000018